(57)【要約】【課題】携帯電話に、予め各自任意に電話番号と相手先名を登録する機能を用い登録しているが、これらの登録者名を着信時に呼出し音の代わりに読み上げ、音声により発信者を知らせる機能は設けられていない、【解決手段】  携帯電話に登録者音声発生機能を設けることにより、着信時に当該画面を見る事なく相手先名を確認できる、特に運転中の場合、従来と異なり画面を見ずに相手先名を確認できるため事故の防止にも貢献できる。【特許請求の範囲】
【請求項１】
登録者名音声発生機能を設けたことを特徴とする、登録者名音声発生機能付き携帯電話。
【請求項２】
登録者名音声発生機能を携帯電話に設けたことを特徴とする、請求項１記載の登録者名音声発生機能付き携帯電話。
【請求項３】
コード付きイヤホンのスイッチをイヤホン本体の外側に直接設けた、スイッチ。
【請求項４】
マイク付きイヤホンのスイッチを、イヤホン本体の外側に直接設けた、請求項３記載のスイッチ。
【請求項５】
ワイヤレスイヤホンのスイッチを、イヤホン本体の外側に直接設けた、請求項３、４記載のイヤホン。
【請求項６】
マイク付きワイヤレスイヤホンのスイッチを、イヤホン本体の外側に直接設けた、請求項３、４、５記載のスイッチ。
【請求項７】
コード付きヘッドホンのスイッチを、ヘッドホン本体の外側に直接設けた、請求項３、４、５、６記載のスイッチ。
【請求項８】
マイク付きヘッドホンのスイッチを、ヘッドホン本体の外側に直接設けた、請求項３、４、５、６、７記載のスイッチ。
【請求項９】
ワイヤレスヘッドホンのスイッチを、ヘッドホン本体の外側に直接設けた、請求項３、４、５、６、７、８記載のスイッチ。
【請求項１０】
マイク付きワイヤレスヘッドホンのスイッチをヘッドホン本体の外側に直接もうけた、請求項３、４、５、６、７、８、９記載のスイッチ。
【請求項１１】
イヤホン及びヘッドホンのスイッチをイヤホン及びヘッドホンに直接スイッチ用のフックを設け、フックを内側に押すことによりオン、オフにできることを特徴とする、請求項３、４、５、６、７、８、９、１０のスイッチ。
【発明の詳細な説明】
【技術分野】
【０００１】  本発明は、携帯電話に電話がかかってきた時点で、当該携帯に事前に登録してある登録者名を、呼び出し音の替わりに音声で読み上げる機能付き携帯電話及びイヤホンまたはヘッドホンのスイッチに関するものである。
【背景技術】
【０００２】  従来の携帯電話には受信したメールの内容を音声で読む機能はあつたが、登録者名を音声で読む機能はなかった。【０００３】    イヤホン及びヘッドホン本体を耳に装着する部分に直接スイッチを設けたものはなかった。
【発明の開示】
【発明が解決しようとする課題】
【０００４】  以上に述べた従来の携帯電話では、受信したメールを音声で伝える機能はあっが、登録者名を音声で伝える機能がない為、電話に出るか出ないかの、選択はできなかった。【０００５】  また、イヤホンのスイッチはコードの途中部分に設けてあった。【０００６】  そのため、運転走行中受信音が鳴った場合受信音に気を取られ、また発信先を確認しようとすると携帯電話本体画面を見なければならなく危険であり、事故も多数報告されている。また、イヤホンを使用する場合でもスイッチがコード上の途中部分に設けられているため、スイッチを操作する場合、体が動いた場合や、特に頭部が動いた場合、スイッチが前後左右に揺れ、操作が煩わしく運転がおろそかになりがちになり、危険を伴うという問題点があった。
【課題を解決するための手段】
【０００７】  そして、本発明は上記目的を達成するため、携帯電話に登録者名読み上げ音声発生機能を設けることにより受信時に当該画面を見ずに相手先を確認できることが特徴である。【０００８】  また、イヤホンやヘッドホンのスイッチをイヤホン及びヘッドホン本体の耳に装着する部分の外側に直接スイッチ用のフックを設け、内側に押すだけでオン、オフの操作が出来ることにより、誰でも自分の耳の位置は間違える事はないため確実にスイッチ操作が可能になり、電話に出ることが安全かつ容易になる。
【発明の効果】
【０００９】  上述したように本発明は携帯電話に登録者名読み上げ音声発生装置を設けることにより運転中に電話がかかってきた場合、携帯電話の画面を見ることなく発信者の確認が音声を聞いて判断できるため迷惑電話などにも対応でき、電話に出る、出ないの選択が可能となる。【００１０】  また、運転中に限らず、イヤホン又はヘッドホンを使用しない場合でも、弱視の方や、目の不自由な方の場合でも、電話に出る前に音声で相手先を確認することができる。【００１１】  以上述べた通り、一般の人々が携帯電話を使用する場合、相手先名を登録している場合が殆どであり、その理由は迷惑電話などを防止するためである。また、イヤホンやヘッドホンを使用する時、イヤホン及びヘッドホンに直接スイッチを設けることにより操作が非常に確実、簡単である。
【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
登録者名音声発生機能を設けたことを特徴とする、登録者名音声発生機能付き携帯電話。
【請求項２】
登録者名音声発生機能を携帯電話に設けたことを特徴とする、請求項１記載の登録者名音声発生機能付き携帯電話。
【請求項３】
マイク付きイヤホンのスイッチを、イヤホンの外側に直接設けた、スイッチ。
【請求項４】
マイク付きワイヤレスイヤホンのスイッチを、ヘッドホンの外側に直接設けた、請求項３記載のスイッチ。
【請求項５】
マイク付きヘッドホンのスイッチを、イヤホンの外側に直接設けた、請求項３，４記載のスイッチ。
【請求項６】
マイク付きワイヤレスヘッドホンのスイッチをヘッドホンの外側に直接設けた、請求項３，４，５，記載のスイッチ。
【請求項７】
イヤホン及びヘッドホンのスイッチをイヤホン及びヘッドホンに直接スイッチ用のフックを設け、フックを内側に押すことによりオン，オフができる請求項３，４，５，６のスイッチ。
【手続補正書】
【提出日】平成16年12月13日(2004.12.13)
【手続補正１】
【補正対象書類名】特許請求の範囲
【補正対象項目名】請求項２
【補正方法】変更
【補正の内容】
【請求項２】
着信時に登録者名音声発生機能を用いて、呼出音の代わりに予め各自任意に相手先名と電話番号を登録してあるところの登録者名を音声で読み上げることを特徴とする、請求項１記載の登録者名音声発生機能付き携帯電話。
【手続補正２】
【補正対象書類名】明細書
【補正対象項目名】０００２
【補正方法】変更
【補正の内容】
【０００２】  従来の携帯電話には受信したメールの内容を音声で読む機能はあったが、着信時に登録者名を音声で読み上げる機能はなかった。
【手続補正３】
【補正対象書類名】明細書
【補正対象項目名】０００７
【補正方法】変更
【補正の内容】
【０００７】  そして、本発明は上記目的を達成するため、携帯電話の着信時に当該画面のみではなく相手先名を音声によっても確認できるよう、登録者名を呼び出し音の代わりに読み上げる音声発生機能を携帯電話に設けたものである。
【手続補正４】
【補正対象書類名】明細書
【補正対象項目名】０００９
【補正方法】変更
【補正の内容】
【０００９】上述したように、本発明は携帯電話の着信時に呼出し音の代わりに登録者名を読み上げる音声発生機能を設けることにより、運転中に電話がかかってきた場合、携帯電話の画面を見ることなく発信者の確認が音声にて判断できるため迷惑電話などにも対応でき、電話に出る、出ないの選択が可能となる。